(57)【特許請求の範囲】
【請求項１】
画像信号を補正する補正手段と、
前記補正後の画像信号を画像出力装置へ出力する信号出力手段と、
前記補正後の画像信号に基づいて前記画像出力装置が出力した画像を撮像する撮像素子と、
前記撮像素子が撮像した画像を表示する表示手段と、
前記補正手段が補正する前の画像信号と、前記撮像素子からの撮像信号との比較結果に応じて前記補正手段による補正係数を決定する決定手段と、
前記画像出力装置からの出力画像が前記撮像素子で撮像されるようにフレーミングをアシストするアシスト手段とを備え、
前記決定手段が補正係数を決定する場合の前記画像信号は、前記画像出力装置から画像の中央部に位置する位置決め用の第１指標を含む調整用画像を出力させる信号であり、
前記アシスト手段は、前記表示手段に、前記第１指標を位置合わせするための対応する位置決め用の第２指標を、前記撮像素子が撮像した画像に重ねて、当該画像の中央部に表示させることを特徴とする画像出力特性補正システム。
【請求項２】
請求項１に記載の画像出力特性補正システムにおいて、
前記第２指標は、その中央部において前記第１指標が視認できるように、枠状になっていることを特徴とする画像出力特性補正システム。
【請求項３】
請求項１又は２に記載の画像出力特性補正システムにおいて、
前記アシスト手段は、前記表示手段に、前記撮像素子が撮像した画像中の第１指標を第２指標の位置に合わせることを促すメッセージを表示させることを特徴とする画像出力特性補正システム。
【請求項４】
請求項１又は２に記載の画像出力特性補正システムにおいて、
前記アシスト手段は、前記画像出力装置に、前記調整用画像とともに、当該調整用画像中の第１指標を前記表示手段に表示される第２指標の位置に合わせることを促すメッセージを出力させることを特徴とする画像出力特性補正システム。
【請求項５】
請求項１〜４のいずれか一項に記載の画像出力特性補正システムにおいて、
前記アシスト手段は、前記撮像素子が前記画像を撮像する仰角に対応する値が所定範囲に入るようにアシストすることを特徴とする画像出力特性補正システム。
【請求項６】
請求項５に記載の画像出力特性補正システムにおいて、
前記アシスト手段は、前記表示手段に、前記撮像素子が前記画像を撮像する仰角に対応する値が所定範囲に入るようにアシストするメッセージを表示させることを特徴とする画像出力特性補正システム。
【請求項７】
請求項１〜４のいずれか一項に記載の画像出力特性補正システムにおいて、
前記アシスト手段は、前記撮像素子が撮像する倍率に対応する値が所定範囲に入るようにアシストすることを特徴とする画像出力特性補正システム。
【請求項８】
請求項１〜７のいずれか一項に記載の画像出力特性補正システムにおいて、
前記撮像素子が撮像した画像から前記調整用画像を認識した場合に、前記補正係数の決定および決定した補正係数による前記画像信号の補正を開始するように前記決定手段および前記補正手段をそれぞれ制御する制御手段をさらに備えることを特徴とする画像出力特性補正システム。
【請求項９】
請求項１〜８のいずれか一項に記載の画像出力特性補正システムにおいて、
前記画像出力装置は表示装置であり、
前記決定手段は、前記撮像素子が撮像した画像から前記表示装置の出力面で反射する環境光情報を取得し、この環境光情報を用いて階調補正係数を決定することを特徴とする画像出力特性補正システム。
【発明の詳細な説明】
【技術分野】
【０００１】
本発明は、画像出力特性補正システムに関する。
【背景技術】
【０００２】
異なる表示装置に対し、それぞれ最適表示になるように特性調整を行う技術が知られている（特許文献１参照）。
【０００３】
【特許文献１】特開２００６−１３９２７号公報
【発明の開示】
【発明が解決しようとする課題】
【０００４】
従来技術では、表示装置による表示画像をカメラで撮像するように、両者が対向するように設置することが必要であった。しかしながら、もっと簡便に特性調整することが望まれる。
【課題を解決するための手段】
【０００５】
（１）本発明による画像出力特性補正システムは、画像信号を補正する補正手段と、補正後の画像信号を画像出力装置へ出力する信号出力手段と、補正後の画像信号に基づいて画像出力装置が出力した画像を撮像する撮像素子と、撮像素子が撮像した画像を表示する表示手段と、補正手段が補正する前の画像信号と、撮像素子からの撮像信号との比較結果に応じて補正手段による補正係数を決定する決定手段と、画像出力装置からの出力画像が撮像素子で撮像されるようにフレーミングをアシストするアシスト手段とを備え、決定手段が補正係数を決定する場合の画像信号は、画像出力装置から画像の中央部に位置する位置決め用の第１指標を含む調整用画像を出力させる信号であり、アシスト手段は、表示手段に、第１指標を位置合わせするための対応する位置決め用の第２指標を、撮像素子が撮像した画像に重ねて、当該画像の中央部に表示させることを特徴とする。
（２）請求項１に記載の画像出力特性補正システムにおいて、第２指標は、その中央部において第１指標が視認できるように、枠状になっていてもよい。
（３）請求項１又は２に記載の画像出力特性補正システムにおいて、アシスト手段は、前記表示手段に、前記撮像素子が撮像した画像中の第１指標を第２指標の位置に合わせることを促すメッセージを表示させるようにしてもよい。
（４）請求項１又は２に記載の画像出力特性補正システムにおいて、アシスト手段は、前記画像出力装置に、前記調整用画像とともに、当該調整用画像中の第１指標を前記表示手段に表示される第２指標の位置に合わせることを促すメッセージを出力させるようにしてもよい。
（５）請求項１〜４のいずれか一項に記載の画像出力特性補正システムにおいて、アシスト手段は、撮像素子が画像を撮像する仰角に対応する値が所定範囲に入るようにアシストすることもできる。
（６）請求項５に記載の画像出力特性補正システムにおいて、アシスト手段は、前記表示手段に、前記撮像素子が前記画像を撮像する仰角に対応する値が所定範囲に入るようにアシストするメッセージを前記表示手段に表示させるようにしてもよい。
（７）請求項１〜４のいずれか一項に記載の画像出力特性補正システムにおいて、アシスト手段は、撮像素子が撮像する倍率に対応する値が所定範囲に入るようにアシストすることもできる。
（８）請求項１〜７のいずれか一項に記載の画像出力特性補正システムはさらに、撮像素子が撮像した画像から調整用画像を認識した場合に、補正係数の決定および決定した補正係数による画像信号の補正を開始するように決定手段および補正手段をそれぞれ制御する制御手段を備えてもよい。
（９）請求項１〜８のいずれか一項に記載の画像出力特性補正システムにおいて、画像出力装置は表示装置であってもよく、この場合の決定手段は、撮像素子が撮像した画像から表示装置の出力面で反射する環境光情報を取得し、この環境光情報を用いて階調補正係数を決定することもできる。
【発明の効果】
【０００６】
本発明による画像出力特性補正システムでは、画像出力装置の出力特性調整を簡便に行うことができる。
【発明を実施するための最良の形態】
【０００７】
以下、図面を参照して本発明を実施するための最良の形態について説明する。
（第一の実施形態）
図１は、本発明の第一の実施形態による電子カメラ１を含めて構成した画像出力特性補正システムを例示する図である。画像出力特性補正システムは、電子カメラ１および画像ストレージ装置２を組み合わせて構成される。表示モニタ３は、液晶表示パネル、プラズマ表示パネル、ＣＲＴもしくは投射型表示器などの映像表示部を有する。表示モニタ３は通常、画像ストレージ装置２が供給する映像信号による画像の再生を行う。ユーザーＡは、表示モニタ３が表示する画像を鑑賞する。
【０００８】
ユーザーＡは画像を鑑賞するにあたり、表示モニタ３の表示特性を画像出力特性補正システムで補正する。表示モニタ３は、表示特性の補正時において、画像ストレージ装置２を介して電子カメラから送信される調整用パターンを含む画像を表示する。電子カメラ１は、表示モニタ３による表示画面を撮影し、撮影画像に基づいて補正値を算出する。補正値は、画像ストレージ装置２が表示モニタ３へ供給する映像信号に反映させる。
【０００９】
画像ストレージ装置２および表示モニタ３間、ならびに画像ストレージ装置２および電子カメラ１間の接続は、それぞれ図１のような無線接続で行っても、ケーブルを用いた有線接続で行ってもよい。
【００１０】
＜電子カメラ＞
電子カメラ１は、撮影した画像データを後述する記録媒体５１に記録したり、撮像した画像データを外部機器（たとえば、画像ストレージ装置２）へ送信したりすることが可能に構成されている。
【００１１】
図２は、電子カメラ１の構成例を説明するブロック図である。図２において、電子カメラは、撮像光学系１１と、撮像素子１２と、ＡＦＥ(Analog front end)回路１３と、画像処理部１４と、バッファメモリ１５と、画像出力回路１６と、背面モニタ１７と、ＲＡＭ１８と、ＲＯＭ１９と、ＣＰＵ２０と、記録インターフェース(I/F)２１と、通信インターフェース(I/F)２２と、操作部材２３とを備える。
【００１２】
ＣＰＵ２０、ＲＡＭ１８、ＲＯＭ１９、記録インターフェース２１、通信インターフェース２２、画像処理部１４、バッファメモリ１５、画像出力回路１６および背面モニタ１７は、それぞれがバス２４を介して接続されている。
【００１３】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１４】
撮像素子１２は、受光面に受光素子が二次元配列されたＣＣＤイメージセンサやＣＭＯＳイメージセンサなどによって構成される。撮像素子１２は、撮像光学系１１を通過した光束による被写体像を光電変換してアナログ画像信号を生成する。アナログ画像信号は、ＡＦＥ回路１３に入力される。
【００１５】
ＡＦＥ回路１３は、アナログ画像信号に対して相関二重サンプリングやゲイン調整を行うとともに、アナログ処理後の画像信号をデジタルデータに変換する。デジタル画像データは画像処理部１４に入力される。画像処理部１４は、デジタル画像データに対して各種の画像処理（色補間処理、階調変換処理、輪郭強調処理、ホワイトバランス調整処理、画像圧縮処理、画像伸張処理など）を施す。
【００１６】
バッファメモリ１５は、画像処理部１４による画像処理の前工程や後工程での画像データを一時的に記憶する。画像出力回路１６は、外部モニタ５０へ送出する映像信号を生成する。画像出力回路１６はさらに、ＣＰＵ２０からの指示によって当該映像信号に対する補正処理を施すことが可能である。外部モニタ５０への映像信号の送出は、画像出力回路１６からケーブルを介して行われる。
【００１７】
背面モニタ１７は液晶パネルによって構成され、ＣＰＵ２０からの指示に応じて画像や操作メニューなどを再生表示する。ＲＡＭ１８はワークメモリとして使用される。ＲＯＭ１９はＣＰＵ２０が実行するプログラムを格納する他に、後述するテストパターンデータを格納する。
【００１８】
ＣＰＵ２０は、ＲＯＭ１９に格納されたプログラムを実行することによって電子カメラ１が行う動作を統括的に制御する。ＣＰＵ２０は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２が取得するモニタ用画像のことをいう。
【００１９】
記録インターフェース２１はコネクタ（不図示）を有し、該コネクタに記録媒体５１が接続される。記録インターフェース２１は、接続された記録媒体５１に対するデータの書き込みや、記録媒体５１からのデータの読み込みを行う。記録媒体５１は、半導体メモリを内蔵したメモリカード、またはハードディスクドライブなどで構成される。
【００２０】
通信インターフェース２２は、ＣＰＵ２０からの指示に応じて外部機器との間でデータの送受を行う。図１は、通信インターフェース２２を介した無線通信で、外部機器の一例である画像ストレージ装置２へ画像データや補正情報を送信する場面を例示したものである。
【００２１】
操作部材２３は、コマンドダイヤル、十字キー、決定ボタンなどを含む。操作部材２３は、モード切替え操作やメニュー選択操作など、各操作に応じた操作信号をＣＰＵ２１へ送出する。
【００２２】
＜画像ストレージ装置＞
図１の画像ストレージ装置２は、表示モニタ３へ映像信号を供給する。画像ストレージ装置２が供給する映像信号は、後述するハードディスクドライブ(HDD)２４に格納している画像データ、あるいは外部機器（たとえば、電子カメラ１やＴＶユーナーなど）から画像ストレージ装置２へ供給された画像データに基づく。
【００２３】
図３は、画像ストレージ装置２の構成例を説明するブロック図である。図３において、画像ストレージ装置２は、画像処理部１４と、バッファメモリ１５と、画像出力回路１６と、ＲＡＭ１８と、ＲＯＭ１９と、ＣＰＵ２０と、記録インターフェース(I/F)２１と、通信インターフェース(I/F)２２と、操作部材２３と、ハードディスクドライブ(HDD)２４とを備える。
【００２４】
画像ストレージ装置２の構成のうち、電子カメラ１の構成と同様のものについては同一番号を付して説明を省略する。ハードディスクドライブ２４は、通信インターフェース２２を介して取得した画像データファイルの保存や、該ドライブ内に保存している画像データファイルの読み出しが可能である。
【００２５】
外部モニタ５０（図１の表示モニタ３に対応）への映像信号の送出は、画像出力回路１６からケーブルを介して行う他に、通信インターフェース２２を介した無線通信で行ってもよい。図１は、通信インターフェース２２を介した無線通信で、表示モニタ３へ映像信号を送信する場面を例示したものである。
【００２６】
＜表示特性の補正＞
上述した電子カメラ１および画像ストレージ装置２で構成した画像出力特性補正システムが表示モニタ３の表示特性を補正する処理について、図４、図１０のフローチャートを参照して説明する。図４は、電子カメラ１のＣＰＵ２０（以下、電子カメラ１と記載する）が行う処理の流れを説明するフローチャートである。電子カメラ１は、たとえば、画像ストレージ装置２との間で通信が成立した場合に図４による処理を起動する。
【００２７】
＜電子カメラ側の処理＞
図４のステップＳ１０１において、電子カメラ１は表示モニタ３に接続されたか否かを判定する。電子カメラ１は、表示モニタ３と接続されたことを示す信号を画像ストレージ装置２から受けた場合にステップＳ１０１を肯定判定してステップＳ１０２へ進む。電子カメラ１は、表示モニタ３と接続されたことを示す信号を画像ストレージ装置２から受けない場合はステップＳ１０１を否定判定し、当該判定処理を繰り返す。
【００２８】
ステップＳ１０２において、電子カメラ１は、たとえば、「補正する／補正しない」というメッセージ画面を背面モニタ１７に表示させてステップＳ１０３へ進み、ユーザーによる選択操作を待つ。
【００２９】
ステップＳ１０３において、電子カメラ１は、操作部材２３から「補正する」を選択する操作信号が発せられた場合にステップＳ１０３を肯定判定してステップＳ１０４へ進む。電子カメラ１は、「補正する」を選択する操作信号が発せられない場合には、ステップＳ１０３を否定判定して図４による処理を終了する。
【００３０】
ステップＳ１０４において、電子カメラ１は、ＲＯＭ１９から調整用パターン信号を読み出し、当該信号を通信インターフェース２２から画像ストレージ装置２へ送信させてステップＳ１０５へ進む。図５は、調整用パターンを受信した画像ストレージ装置２が表示モニタ３に表示させる調整用パターン画面を例示する図である。図５において、調整用パターンは、色および濃度が異なる図形が組み合わされて構成される。パターンの中央には位置決め用のガイド５５が設けられている。
【００３１】
ステップＳ１０５において、電子カメラ１は、撮像素子１２にスルー画用の撮像を開始させてステップＳ１０６へ進む。これにより電子カメラ１は、たとえば３０フレーム／毎秒のフレームレートでスルー画像の取得を始める。
【００３２】
ステップＳ１０６において、電子カメラ１は背面モニタ１７に指示を送り、取得したスルー画像の表示を開始させる。電子カメラ１はさらに、メッセージ６５（たとえば「テレビ画面の◎を、ここに入れてください。」 ）およびガイド６６をスルー画像に重ねて重畳表示させてステップＳ１０７へ進む。 これにより、図１に例示した場面において、ユーザーＡが表示モニタ３に表示されている調整用パターンを撮像するように電子カメラ１を構えれば、電子カメラ１は表示モニタ３の表示画面（調整用パターン）を撮像する。
【００３３】
図６は、電子カメラ１の背面モニタ１７に表示される画面の一例を示す図である。図６に例示するように、表示モニタ３に表示されている調整用パターンの中央のガイド５５（図５）を、電子カメラ１の背面モニタ１７に表示されているガイド６６の中に含むようにユーザーＡが電子カメラ１を構えれば、電子カメラ１は図７に例示するような画面を背面モニタ１７に表示する。
【００３４】
図４のステップＳ１０７において、電子カメラ１は撮像中のスルー画像から調整用パターンを認識可能か否かを判定する。電子カメラ１は、認識可能な場合にステップＳ１０７を肯定判定してステップＳ１０８へ進み、認識できない場合にはステップＳ１０７を否定判定して当該判定処理を繰り返す。認識は、調整用パターンを構成する個々の図形を分離識別可能か否かで判定してよい。
【００３５】
ステップＳ１０８において、電子カメラ１は、撮像中のスルー画像における仰角が所定範囲内か否かを判定する。一般に、撮像される被写体の大きさは電子カメラ１からの距離に反比例するため、電子カメラ１から離れている被写体ほど小さく写る。このため、表示モニタ３の表示画面を正面からでなく斜め方向から撮像すると、スルー画像における調整用パターンは手前側が大きく、反対側は小さく撮像される（図８参照）。そこで、電子カメラ１は、調整用パターンを構成する左右の辺の長さｈ１およびｈ２（図９）の比を用いて仰角の可否を判定する。
【００３６】
電子カメラ１は、ｈ１およびｈ２の比が所定範囲内であればステップＳ１０８を肯定判定してステップＳ１０９へ進み、ｈ１およびｈ２の比が所定範囲になければステップＳ１０８を否定判定してステップＳ１１１へ進む。
【００３７】
ステップＳ１１１において、電子カメラ１は、背面モニタ１７に表示中のスルー画像に重ねてメッセージ（たとえば「テレビ画面の正面から撮影してください。」 ）を重畳表示させてステップＳ１０７へ戻る。これにより、表示モニタ３に表示されている調整用パターンを表示モニタ３の正面から撮影するようにユーザーＡを促すことができる。
【００３８】
ステップＳ１０９において、電子カメラ１は、撮像中のスルー画像における調整用パターンの大きさが所定範囲内か否かを判定する。スルー画像中の調整用パターンが大き過ぎると該スルー画像から調整用パターンが外れてしまい、スルー画像中の調整用パターンが小さ過ぎると該スルー画像から調整用パターンを認識することが困難になる。そこで、電子カメラ１は、スルー画像中の調整用パターンを構成する左右の辺（上下の辺でもよい）の長さｈ１またはｈ２が、該スルー画像の対応する辺の長さに対して所定の割合（たとえば５０〜９０％）に収まればステップＳ１０９を肯定判定してステップＳ１１２へ進む。電子カメラ１は、上記長さｈ１またはｈ２がスルー画像の対応する辺の長さに対して上記所定の割合に収まらなければステップＳ１０９を否定判定してステップＳ１１０へ進む。
【００３９】
ステップＳ１１０において、電子カメラ１は、不図示のズームレンズを光軸方向に進退駆動させることにより、撮像されるスルー画像の倍率を変更させてステップＳ１０９へ戻る。これにより、背面モニタ１７に表示されるスルー画像の倍率が変わり、スルー画像中の調整用パターンの大きさが変化する。
【００４０】
ステップＳ１１２において、電子カメラ１は、スルー画像から調整用パターン情報を取得してステップＳ１１３へ進む。具体的には、スルー画像のデータから調整用パターンに対応するデータを抽出する。ステップＳ１１３において、電子カメラ１は、補正が必要か否かを判定する。電子カメラ１は、ステップＳ１０４で画像ストレージ装置２へ送信した調整用パターンのデータと、ステップＳ１１３で抽出した調整用パターンのデータとを比較する。電子カメラ１は両調整用パターンのデータ間で対応する図形（本例では四角形）を構成するデータの色成分比（たとえば、ＲＧＢの各信号比率）および信号値を比較し、これらの差が所定の判定閾値を超えるか否かを判定する。
【００４１】
電子カメラ１は、対応する図形の少なくとも１つについて、当該図形を構成する信号値間の差異が判定閾値を超える場合にステップＳ１１３を肯定判定してステップＳ１１４へ進む。電子カメラ１は、対応する図形の全てにおいて信号値間の差異が判定閾値以下である場合にはステップＳ１１３を否定判定し、図４による処理を終了する。ステップＳ１１３を否定判定する場合は、表示モニタ３の表示特性を補正しなくてよいと判定する場合である。
【００４２】
表示モニタ３の表示特性の補正が必要と判定した電子カメラ１は、ステップＳ１１４において、上記対応する図形を構成する信号値間の差異を小さくするように補正係数を算出してステップＳ１１５へ進む。補正係数は、画像の全域にわたって共通の値を算出する。
【００４３】
（色補正）
たとえば、Ｒ信号に対する補正係数は、対応する全ての図形を構成するデータの色成分比に基づいて、画像全域で共通の値を求める。同様に、Ｇ信号、Ｂ信号に対する補正係数についても、対応する全ての図形を構成するデータの色成分比に基づいて、画像全域で共通の値を求める。
【００４４】
（階調補正）
輝度補正係数については以下のように求める。図１０は、表示モニタ３の階調特性を例示する図である。横軸は入力信号を表し、縦軸は出力信号を表す。通常、表示モニタ３による画面の輝度は、真っ暗な環境にない限り環境光（たとえば、室内照明光）の反射光成分を含む。したがって、電子カメラ１によって取得したスルー画像中の表示モニタ３による表示画面は、上記反射光成分によって輝度特性が変化する。
【００４５】
図１１は、表示モニタ３による画面輝度を例示する図である。横軸は入力信号を表し、縦軸は画面輝度を表す。図１１に例示するように、入力信号が０であっても画面輝度は環境光の反射光成分によって上下する。そこで、電子カメラ１は、入力信号が０に相当する画面輝度に応じて、階調特性カーブを変化させる。
【００４６】
図１２は、本実施形態による階調特性カーブ補正を説明する図である。電子カメラ１は、環境光の画面反射が小さく、画面輝度が低い場合は、暗い信号を通常時より暗く表示するように階調特性カーブを補正する。反対に、環境光の画面反射が大きく、画面輝度が高い場合は、暗い信号を通常時より明るく表示するように階調特性カーブを補正する。
【００４７】
環境光の反射成分（すなわち、入力信号が０に相当する画面輝度）は、スルー画像中の調整用パターンを構成する図形のうち最も暗い部分（本例では図５において左下部に位置する図形Ｂｓ）に含まれる信号値を用いて取得する。
【００４８】
図４のステップＳ１１５において、電子カメラ１は、算出した補正係数を示すデータ（補正値情報）を画像ストレージ装置２へ送信してステップＳ１１２へ戻る。
【００４９】
＜画像ストレージ装置の処理＞
図１３は、画像ストレージ装置２のＣＰＵ２０（以下、画像ストレージ装置２と記載する）が行う処理の流れを説明するフローチャートである。画像ストレージ装置２は、たとえば、電子カメラ１との間で通信が成立した場合に図１３による処理を起動する。
【００５０】
図１３のステップＳ２０１において、画像ストレージ装置２は表示モニタ３に接続されたか否かを判定する。画像ストレージ装置２は、表示モニタ３との間で通信が成立した場合にステップＳ２０１を肯定判定してステップＳ２０２へ進む。画像ストレージ装置２は、表示モニタ３との間で通信が成立しない場合にはステップＳ２０１を否定判定し、当該判定処理を繰り返す。
【００５１】
ステップＳ２０２において、画像ストレージ装置２は、表示モニタ３に接続されたことを示す信号を電子カメラ１へ送信してステップＳ２０３へ進む。ステップＳ２０３において、画像ストレージ装置２は、電子カメラ１から画像データを受信したか否かを判定する。画像ストレージ装置２は、画像データを受信した場合にステップＳ２０３を肯定判定してステップＳ２０４へ進み、画像データを受信していない場合にはステップＳ２０３を否定判定してステップＳ２０８へ進む。
【００５２】
ステップＳ２０４において、画像ストレージ装置２は受信した画像データ（本例では調整用パターンのデータ）を用いて、表示モニタ３による再生表示に必要な映像信号を生成し、表示モニタ３へ向けて該映像信号を送信開始させてステップＳ２０５へ進む。ここで、画像ストレージ装置２は、表示モニタ３が表示する再生画像に重ねてメッセージ（たとえば「カメラをこちらに向け、カメラモニタの○に、画面の◎が入るようにしてください。」 ）を重畳表示するように、映像信号にメッセージ情報を含める。
【００５３】
ステップＳＳ２０５において、画像ストレージ装置２は、電子カメラ１から補正情報を受信したか否かを判定する。画像ストレージ装置２は、補正値情報を受信した場合にステップＳ２０５を肯定判定してステップＳ２０６へ進み、補正値情報を受信していない場合にはステップＳ２０５を否定判定してステップＳ２０８へ進む。
【００５４】
ステップＳ２０６において、画像ストレージ装置２は、表示モニタ３へ送信する映像信号を補正する。具体的には、補正値情報を用いてステップＳ２０３で受信した画像データ（調整用パターンのデータ）を画素順次に補正する。たとえば、調整用パターンのデータのうちＲ成分のデータのそれぞれについて、補正値情報に含まれるＲ信号の補正係数を掛け合わせる。他の色成分についても同様である。また、階調補正係数については、補正値情報に含まれる補正係数を、調整用パターンデータの信号値に応じて掛け合わせる。画像ストレージ装置２は、以上のように補正処理を行うとステップＳ２０７へ進む。
【００５５】
ステップＳ２０７において、画像ストレージ装置２は、最新の補正値情報を記憶してステップＳ２０５へ戻る。画像ストレージ装置２は、以降新たな補正情報を受信するまでは、表示モニタ３へ送信する映像信号に対して記憶した補正値情報を用いた補正を行うように構成される。すなわち、表示モニタ３の表示特性の補正を終了した後に、画像ストレージ装置２が通信インターフェース２２を介して取得した画像データやハードディスクドライブ２４内に保存している画像データによる画像を表示モニタ３に再生表示させる場合にも、記憶した補正値情報を用いた補正を行う。
【００５６】
ステップＳ２０８において、画像ストレージ装置２はタイムアウトか否かを判定する。画像ストレージ装置２は、所定時間（たとえば２０秒）を計時するとステップ２０８を肯定判定して図１３による処理を終了する。画像ストレージ装置２は、所定時間（たとえば２０秒）を計時する前はステップ２０８を否定判定してステップＳ２０３へ戻る。
【００５７】
以上説明した第一の実施形態によれば、次の作用効果が得られる。
（１）表示モニタ３による表示出力特性の補正時に当該表示モニタ３に表示させる調整用パターン（図５）に位置決め用のガイド５５を含めたので（図５）、ユーザーＡが電子カメラ１で表示モニタ３の出力面（画面）を狙ってフレーミングする目印になる。これにより、三脚等を用いなくても電子カメラ１を手持ちしながら表示モニタ３の表示特性を補正させることが可能になる。
【００５８】
（２）電子カメラ１が表示モニタ３の出力面（画面）を撮像したスルー画像を電子カメラ１の背面モニタ１７に表示する際、スルー画像に重ねて位置決め用のガイド６６を表示したので（図６）、ユーザーＡが電子カメラ１で表示モニタ３の出力面（画面）を狙ってフレーミングする目印になる。これにより、三脚等を用いなくても電子カメラ１を手持ちしながら表示モニタ３の表示特性を補正させることが可能になる。
【００５９】
（３）電子カメラ１は、不図示のズームレンズを光軸方向に進退駆動させることによって撮像されるスルー画像の倍率を自動的に変更するので（ステップＳ１１０）、簡単に、調整用パターンの認識に適した倍率で表示モニタ３による表示画面を撮像させることができる。
【００６０】
（４）電子カメラ１は、調整用パターンを構成する左右の辺の長さｈ１およびｈ２（図９）の比を用いて仰角を判定し（ステップＳ１０８）、判定結果に応じてメッセージをするようにしたので（ステップＳ１１１）、表示モニタ３に表示されている調整用パターンを電子カメラ１で表示モニタ３の正面から撮影するようにユーザーＡを促すことができる。
【００６１】
（５）電子カメラ１は、スルー画像から調整用パターン情報を認識した場合に補正処理へ進む。認識しない場合には補正処理へ進まないので、不適切な補正を行うことを防止できる。
【００６２】
（６）電子カメラ１は、上記倍率および仰角を示す値が適切な場合に補正処理へ進む。不適切な場合には補正処理へ進まないので、ユーザーＡは、電子カメラ１が補正処理へ進むか否かによって補正に必要な撮像ができているか否かを知ることができる。
【００６３】
（７）電子カメラ１は、（ａ）表示モニタ３の画面において環境光の反射が小さく、画面輝度が低い場合は暗い信号を通常時より暗く表示するように階調特性カーブを補正し、（ｂ）表示モニタ３の画面において環境光の反射が大きく、画面輝度が高い場合は暗い信号を通常時より明るく表示するように階調特性カーブを補正するようにした。環境光を直接測るのでなく、表示モニタ３の画面からの反射光を用いて（撮像して）補正を行うようにしたので、画像の暗い領域を自然に表現させる点において効果が得られる。
【００６４】
（８）調整用パターンに暗黒部分（図形Ｂｓ）を含めたので、該調整用パターンを表示する表示モニタ３の画面を電子カメラ１で撮像することによって環境光の反射成分（入力信号が０に相当する画面輝度）を容易に取得でき、上記（７）の補正に用いることができる。
【００６５】
（第二の実施形態）
第二の実施形態では、表示モニタ３の表示特性の補正時において、電子カメラ１が表示モニタ３による表示画面を撮影して得た調整用パターン情報を画像ストレージ装置２へ送信する。画像ストレージ装置２は、調整用パターン情報に基づいて補正値を算出し、算出した補正値を表示モニタ３へ供給する映像信号に反映させる。
【００６６】
第二の実施形態による画像出力特性補正システムが表示モニタ３の表示特性を補正する処理について、図１４、図１５のフローチャートを参照して説明する。図１４は、電子カメラ１のＣＰＵ２０（以下、電子カメラ１と記載する）が行う処理の流れを説明するフローチャートである。電子カメラ１は、図４による処理に代えて図１４による処理を起動する。
【００６７】
＜電子カメラ側の処理＞
図１４において、図４の場合と同様の処理を行う場合は同一のステップ番号を付して説明を省略する。図４と図１４との相違点は、図４のステップＳ１１３〜Ｓ１１５の処理に代えてステップＳ１１３Ｂが設けられる点である。
【００６８】
ステップＳ１１２の次に進むステップＳ１１３Ｂにおいて、電子カメラ１は、スルー画像から取得した調整用パターン情報を画像ストレージ装置２へ送信してステップＳ１１２へ戻る。
【００６９】
＜画像ストレージ装置側の処理＞
図１５において、図１３の場合と同様の処理を行う場合は同一のステップ番号を付して説明を省略する。図１３と図１５との相違点は、図１３のステップＳ２０５の処理に代えてステップＳ２１０〜Ｓ２１２が設けられる点である。
【００７０】
ステップＳ２０４の次に進むステップＳ２１０において、画像ストレージ装置２は、電子カメラ１から調整用パターン情報を受信したか否かを判定する。画像ストレージ装置２は、調整用パターン情報を受信した場合にステップＳ２１０を肯定判定してステップＳ２１１へ進み、調整用パターン情報を受信しない場合にはステップＳ２１０を否定判定し、ステップＳ２０８へ進む。
【００７１】
ステップＳ２１１において、画像ストレージ装置２は補正が必要か否かを判定する。画像ストレージ装置２は、ステップＳ２０３で電子カメラ１から受信した調整用パターンのデータと、ステップＳ２１０で受信した調整用パターン情報とを比較し、第一の実施形態による電子カメラ１（ステップ１１３）と同様に判定を行う。
【００７２】
表示モニタ３の表示特性の補正が必要と判定した画像ストレージ装置２は、ステップＳ２１２において、第一の実施形態による電子カメラ１（ステップ１１４）と同様に補正係数を算出してステップＳ２０６へ進む。ステップＳ２０６以降は第一の実施形態と同様である。すなわち、画像ストレージ装置２は、以降に表示モニタ３へ送信する映像信号を上記補正係数で補正する。
【００７３】
以上説明した第二の実施形態によれば、第一の実施形態の作用効果の他に、次の作用効果が得られる。
（１）画像ストレージ装置２が調整用パターン情報に基づいて補正値を算出するようにしたので、電子カメラ１において補正値を算出する手間を省くことができる。
【００７４】
（２）画像ストレージ装置２が算出した補正値を、画像ストレージ装置２が表示モニタ３へ供給する映像信号にただちに反映させることができるから、環境光が変化する場合でも素早く追従させることができる。
【００７５】
（第三の実施形態）
第三の実施形態では、調整用パターン情報を画像ストレージ装置２に格納しておき、表示モニタ３の表示特性の補正時において、調整用パターン情報を画像ストレージ装置２から表示モニタ３へ送信して当該調整用パターンを含む画像を表示させる。電子カメラ１は、表示モニタ３による表示画面を撮影して得た調整用パターン情報を画像ストレージ装置２へ送信する。画像ストレージ装置２は、調整用パターン情報に基づいて補正値を算出し、算出した補正値を表示モニタ３へ供給する映像信号に反映させる。
【００７６】
第三の実施形態による画像出力特性補正システムが表示モニタ３の表示特性を補正する処理について、図１６、図１７のフローチャートを参照して説明する。図１６は、電子カメラ１のＣＰＵ２０（以下、電子カメラ１と記載する）が行う処理の流れを説明するフローチャートである。電子カメラ１は、図１４による処理に代えて図１６による処理を起動する。
【００７７】
＜電子カメラ側の処理＞
図１６において、図１４の場合と同様の処理を行う場合は同一のステップ番号を付して説明を省略する。図１４と図１６との相違点は、図１４のステップＳ１０４の処理がスキップされる点である。調整用パターン情報が画像ストレージ装置２に格納されているので、電子カメラ１から画像ストレージ装置２へ送信する必要がない。
【００７８】
＜画像ストレージ装置側の処理＞
図１７において、図１５の場合と同様の処理を行う場合は同一のステップ番号を付して説明を省略する。図１５と図１７との相違点は、図１５のステップＳ２０３の処理がスキップされ、ステップＳ２０４の処理に代えてステップＳ２０４Ｂが設けられる点である。
【００７９】
ステップＳ２０２の次に進むステップＳ２０４Ｂにおいて、画像ストレージ装置２は、ＲＯＭ１９から調整用パターン信号を読み出し、当該信号データを用いて、表示モニタ３による再生表示に必要な映像信号を生成し、表示モニタ３へ向けて該映像信号を送信開始させてステップＳ２１０へ進む。ここで、画像ストレージ装置２は、表示モニタ３が表示する再生画像に重ねてメッセージ（たとえば「カメラをこちらに向け、カメラモニタの○に、画面の◎が入るようにしてください。」 ）を重畳表示するように、映像信号にメッセージ情報を含める。以降は第二の実施形態と同様である。
【００８０】
以上説明した第三の実施形態によれば、第一の実施形態の作用効果の他に、次の作用効果が得られる。
（１）画像ストレージ装置２が調整用パターン信号を格納するようにしたので、第一の実施形態および第二の実施形態に比べて、電子カメラ１から画像ストレージ装置２へ調整用パターン信号を送信する手間を省くことができる。
【００８１】
（２）画像ストレージ装置が調整用パターン情報に基づいて補正値を算出するようにしたので、電子カメラ１において補正値を算出する手間を省くことができる。
【００８２】
（３）画像ストレージ装置２が算出した補正値を、画像ストレージ装置２が表示モニタ３へ供給する映像信号にただちに反映させることができるから、環境光が変化する場合でも素早く追従させることができる。
【００８３】
（変形例１）
上述した説明では、画像出力装置として表示モニタ３を例に説明した。画像出力装置の他の例として、プリンタにも本発明を適用することができる。この場合の電子カメラ１は、プリンタが印刷した印刷面（調整用パターンが印刷されている）を撮像する。画像ストレージ装置２がプリンタへ補正した映像信号を送信することにより、プリンタがインクの色成分比や、入力信号および吐出するインク量の関係を示す階調特性を変化させて印刷特性を補正する。
【００８４】
（変形例２）
フローチャートにおけるステップＳ１０２およびステップＳ１０３をスキップするように構成してもよい。この場合には、電子カメラ１および画像ストレージ装置２間の通信が成立するとステップＳ１０４へ進むので、通信成立後ただちに表示モニタ３に調整用パターン画面（図５）が表示されるようになる。
【００８５】
（変形例３）
電子カメラ１と画像ストレージ装置２とで画像出力特性補正システムを構成したが、電子カメラ１および画像ストレージ装置２を一体化した電子カメラによって表示モニタ３の画像出力特性を補正するようにしても構わない。
【００８６】
以上の説明はあくまで一例であり、上記の実施形態の構成に何ら限定されるものではない。
【図面の簡単な説明】
【００８７】
【図１】本発明の第一の実施形態による画像出力特性補正システムを例示する図である。
【図２】電子カメラの構成例を説明するブロック図である。
【図３】画像ストレージ装置の構成例を説明するブロック図である。
【図４】電子カメラが行う処理の流れを説明するフローチャートである。
【図５】調整用パターン画面を例示する図である。
【図６】電子カメラの背面モニタに表示される画面の一例を示す図である。
【図７】電子カメラの背面モニタに表示される画面の一例を示す図である。
【図８】電子カメラの背面モニタに表示される画面の一例を示す図である。
【図９】仰角の可否を判定を説明する図である。
【図１０】表示モニタの階調特性を例示する図である。
【図１１】表示モニタによる画面輝度を例示する図である。
【図１２】階調特性カーブ補正を説明する図である。
【図１３】画像ストレージ装置が行う処理の流れを説明するフローチャートである。
【図１４】第二の実施形態の電子カメラが行う処理の流れを説明するフローチャートである。
【図１５】第二の実施形態の画像ストレージ装置が行う処理の流れを説明するフローチャートである。
【図１６】第三の実施形態の電子カメラが行う処理の流れを説明するフローチャートである。
【図１７】第三の実施形態の画像ストレージ装置が行う処理の流れを説明するフローチャートである。
【符号の説明】
【００８８】
１…電子カメラ
２…画像ストレージ装置
３…表示モニタ
１２…撮像素子
１６…画像出力回路
１７…背面モニタ
２０…ＣＰＵ
２２…通信インターフェース
５５、６６…ガイド
【図１】
0005088166.tif 000002
【図２】
0005088166.tif 000003
【図３】
0005088166.tif 000004
【図４】
0005088166.tif 000005
【図５】
0005088166.tif 000006
【図６】
0005088166.tif 000007
【図７】
0005088166.tif 000008
【図８】
0005088166.tif 000009
【図９】
0005088166.tif 000010
【図１０】
0005088166.tif 000011
【図１１】
0005088166.tif 000012
【図１２】
0005088166.tif 000013
【図１３】
0005088166.tif 000014
【図１４】
0005088166.tif 000015
【図１５】
0005088166.tif 000016
【図１６】
0005088166.tif 000017
【図１７】
0005088166.tif 000018